(57)【要約】【課題】ユーザに適した広告情報を効率良く提供することができる広告メール配信システムを提供する。【解決手段】広告メール配信サーバ３０は、広告情報データを蓄積する広告情報データベース３０１と、端末装置２０を使用するユーザによってインターネット上で使用された単語をユーザ情報と関連付けて登録するユーザ情報登録データベース３０２とを備え、前記ユーザ情報登録データベース３０２に登録された単語と前記広告情報データベース３０１に登録された広告情報データとを比較し、当該単語に対応する広告情報データを広告メールとして当該端末装置２０に配信し、端末装置２０は、前記広告メール配信サーバ３０から配信された広告メールを受信し、表示手段２２に表示する。【選択図】図２
2007233484.tif 000002
【特許請求の範囲】
【請求項１】
端末装置と広告メール配信サーバとを備え、インターネット上で広告メールを配信する広告メール配信システムであって、
前記広告メール配信サーバは、広告情報データを蓄積する広告情報データベースと、前記端末装置からインターネット上で使用された単語をユーザ情報と関連付けて登録するユーザ情報登録データベースとを備え、前記ユーザ情報登録データベースに登録された単語と前記広告情報データベースに登録された広告情報データとを比較し、当該単語に対応する広告情報データを広告メールとして当該端末装置に配信し、
前記端末装置は、前記広告メール配信サーバから配信された広告メールを受信し、表示手段に表示することを特徴とする広告メール配信システム。
【請求項２】
前記単語に対応する広告情報データは、広告情報データの題名および／または内容に含まれる語彙データから検索される当該単語と同一の単語を含む広告情報データであることを特徴とする請求項１に記載の広告メール配信システム。
【請求項３】
前記単語に対応する広告情報データは、広告情報データの題名および／または内容に含まれる語彙データから検索される当該単語と同一概念の単語を含む広告情報データであることを特徴とする請求項１に記載の広告メール配信システム。
【請求項４】
広告メール配信サーバから配信された広告メールを表示する端末装置と広告メール配信サーバとを備えた広告メール配信システムを構成する広告メール配信サーバであって、
前記広告メール配信サーバは、広告情報データを蓄積する広告情報データベースと、前記端末装置からインターネット上で使用された単語をユーザ情報と関連付けて登録するユーザ情報登録データベースとを備え、前記ユーザ情報登録データベースに登録された単語と前記広告情報データベースに登録された広告情報データとを比較し、当該単語に対応する広告情報データを広告メールとして当該端末装置に配信することを特徴とする広告メール配信サーバ。
【請求項５】
前記単語に対応する広告情報データは、広告情報データの題名および／または内容に含まれる語彙データから検索される当該単語と同一の単語を含む広告情報データであることを特徴とする請求項４に記載の広告メール配信サーバ。
【請求項６】
前記単語に対応する広告情報データは、広告情報データの題名および／または内容に含まれる語彙データから検索される当該単語と同一概念の単語を含む広告情報データであることを特徴とする請求項４に記載の広告メール配信サーバ。
【請求項７】
端末装置と広告メール配信サーバとを備え、
前記広告メール配信サーバは、広告情報データを蓄積する広告情報データベースと、前記端末装置からインターネット上で使用された単語をユーザ情報と関連付けて登録するユーザ情報登録データベースとを備え、前記ユーザ情報登録データベースに登録された単語と前記広告情報データベースに登録された広告情報データとを比較し、当該単語に対応する広告情報データを広告メールとして当該端末装置に配信する広告メール配信システムを構成する端末装置であって、
前記端末装置は、前記広告メール配信サーバから配信された広告メールを受信し、表示手段に表示することを特徴とする端末装置。
【請求項８】
端末装置と広告メール配信サーバとを備え、インターネット上で広告メールを配信する広告メール配信システムにおける広告メール配信方法であって、
前記広告メール配信サーバは、広告情報データを蓄積する広告情報データベースを備え、前記端末装置からインターネット上で使用された単語を検索するステップと、検索された単語をユーザ情報と関連付けてユーザ情報登録データベースに登録するステップと、前記ユーザ情報登録データベースに登録された単語と前記広告情報データベースに登録された広告情報データとを比較するステップと、当該単語に対応する広告情報データを広告メールとして当該端末装置に配信するステップとを有し、
前記端末装置は、前記広告メール配信サーバから配信された広告メールを受信し、表示手段に表示するステップを有することを特徴とする広告メール配信方法。
【請求項９】
端末装置と広告メール配信サーバとを備え、インターネット上で広告メールを配信する広告メール配信システムであって、
前記広告メール配信サーバは、広告情報データを蓄積する広告情報データベースと、前記端末装置の利用者の個人ウェブサイトに使用されている単語をユーザ情報と関連付けて登録するユーザ情報登録データベースとを備え、前記ユーザ情報登録データベースに登録された単語と前記広告情報データベースに登録された広告情報データとを比較し、当該単語に対応する広告情報データを広告メールとして当該端末装置に配信し、
前記端末装置は、前記広告メール配信サーバから配信された広告メールを受信し、表示手段に表示することを特徴とする広告メール配信システム。
【請求項１０】
前記単語に対応する広告情報データは、広告情報データの題名および／または内容に含まれる語彙データから検索される当該単語と同一の単語を含む広告情報データであることを特徴とする請求項９に記載の広告メール配信システム。
【請求項１１】
前記単語に対応する広告情報データは、広告情報データの題名および／または内容に含まれる語彙データから検索される当該単語と同一概念の単語を含む広告情報データであることを特徴とする請求項９に記載の広告メール配信システム。
【請求項１２】
広告メール配信サーバから配信された広告メールを表示する端末装置と広告メール配信サーバとを備えた広告メール配信システムを構成する広告メール配信サーバであって、
前記広告メール配信サーバは、広告情報データを蓄積する広告情報データベースと、前記端末装置の利用者の個人ウェブサイトに使用されている単語をユーザ情報と関連付けて登録するユーザ情報登録データベースとを備え、前記ユーザ情報登録データベースに登録された単語と前記広告情報データベースに登録された広告情報データとを比較し、当該単語に対応する広告情報データを広告メールとして当該端末装置に配信することを特徴とする広告メール配信サーバ。
【請求項１３】
前記単語に対応する広告情報データは、広告情報データの題名および／または内容に含まれる語彙データから検索される当該単語と同一の単語を含む広告情報データであることを特徴とする請求項１２に記載の広告メール配信サーバ。
【請求項１４】
前記単語に対応する広告情報データは、広告情報データの題名および／または内容に含まれる語彙データから検索される当該単語と同一概念の単語を含む広告情報データであることを特徴とする請求項１２に記載の広告メール配信サーバ。
【請求項１５】
端末装置と広告メール配信サーバとを備え、
前記広告メール配信サーバは、広告情報データを蓄積する広告情報データベースと、前記端末装置の利用者の個人ウェブサイトに使用されている単語をユーザ情報と関連付けて登録するユーザ情報登録データベースとを備え、前記ユーザ情報登録データベースに登録された単語と前記広告情報データベースに登録された広告情報データとを比較し、当該単語に対応する広告情報データを広告メールとして当該端末装置に配信する広告メール配信システムを構成する端末装置であって、
前記端末装置は、前記広告メール配信サーバから配信された広告メールを受信し、表示手段に表示することを特徴とする端末装置。
【請求項１６】
端末装置と広告メール配信サーバとを備え、インターネット上で広告メールを配信する広告メール配信システムにおける広告メール配信方法であって、
前記広告メール配信サーバは、広告情報データを蓄積する広告情報データベースを備え、前記端末装置の利用者の個人ウェブサイトに使用されている単語を検索するステップと、検索された単語をユーザ情報と関連付けてユーザ情報登録データベースに登録するステップと、前記ユーザ情報登録データベースに登録された単語と前記広告情報データベースに登録された広告情報データとを比較するステップと、当該単語に対応する広告情報データを広告メールとして当該端末装置に配信するステップとを有し、
前記端末装置は、前記広告メール配信サーバから配信された広告メールを受信し、表示手段に表示するステップを有することを特徴とする広告メール配信方法。
【発明の詳細な説明】
【技術分野】
【０００１】
本発明は、電子メールを用いた広告メール配信システムに係り、特に、インターネット上で検索された単語または個人のウェブサイトに掲載されている単語を基にして広告メールを配信することのできる広告メール配信システムおよび広告メール配信サーバならびに端末装置および広告メール配信方法に関するものである。
【背景技術】
【０００２】
近年の通信技術、情報処理技術の発達により、企業や家庭に設置されたコンピュータからインターネット網を介して様々なデータ通信サービスを行うサーバやウェブサイトをアクセスして所望の公開情報を入手し、あるいは所望のサービスを受けることができるようになってきている。また、インターネットはビジネスのツールとしても様々に利用され、企業、商店、飲食店、自治体などがそれぞれにホームページからユーザに対するメッセージの発信に利用している他、インターネットを利用して銀行業務や通信販売業務などを行う企業も出現している。
【０００３】
そして近年では、このデータ通信サービスはコンピュータ装置のように企業内や家庭に固定的に設置された端末だけでなく、人が持ち歩ける携帯端末にもその範囲が拡大されてきている。携帯電話を対象としたデータ通信サービスはその代表的なものであり、携帯電話から無線通信網を経由して種々の情報配信コンピュータシステムに接続して所望の情報（コンテンツ）の配信を受け、携帯端末上で参照したり、携帯端末にダウンロードして保存させる情報通信サービスが様々な分野で利用されている。
【０００４】
さらに、このようにデータ通信サービスの対象が固定的に設置されたコンピュータ装置から、人が携帯して移動する携帯端末へと変化してくるにつれて、移動する端末装置という特性を利用したサービスのあり方が模索されるようになってきている。携帯端末のユーザからみれば、自分が何時、どこにいても所望のサーバやウェブサイトに接続して希望するサービスを受けることができる利便性があり、サービスの提供者からみると、移動するユーザを引きつける、あるいは、特定のエリアにいるユーザに特定の情報サービスを行うなどによってユーザへのアピール性が増すなどの利点が得られる。
【０００５】
例えば、レストラン、テーマパーク、観光地ではその場所にいる人の携帯端末に、その場所でしか得られない情報（コンテンツ）を提供することでユーザを引きつけ、他との差別化を図ることも可能になる。このような例は、広告の分野で提案されている。
【０００６】
例えば、下記の特許文献１（特開２００２−５５９０１号公報）には、電子メールを利用して広告メールを配信する場合に、ユーザが必要とする広告情報だけをリクエストに応じて電子メールで配信する広告配信システムが開示されている。
【０００７】
また、下記の特許文献２（特開２００２−２６８９９３号公報）には、利用者登録を必要とせず多くのユーザに対し、広告を配信できるようにして広告効果を高め、個々のユーザに対してその時々の状態に応じて広告配信をするか否かを選択可能とした広告配信方法が開示されている。
【０００８】
さらに、下記の特許文献３（特開２００２−１４０２６６号公報）には、広告メールが配信先に無事に配信されたか否かなどの配信履歴情報を利用者が確認可能なように開示でき、更に、電子メールを自動的に繰り返し配信することが可能な広告メール配信システムが開示されている。
【０００９】
また近年、インターネット上ではブログ（ｂｌｏｇ）と呼ばれる日記型個人ウェブサイトが利用されており、このようなウェブサイトによればＦＴＰ（Ｆｉｌｅ  Ｔｒａｎｓｆｅｒ  Ｐｒｏｔｏｃｏｌ）などを利用した複雑なアップロード手順やＨＴＭＬ（Ｈｙｐｅｒ  Ｔｅｘｔ  Ｍａｒｋｕｐ  Ｌａｎｇｕｓｇｅ）の知識を必要とせず、携帯電話で撮った写真のアップロードも簡単にでき、インターネット閲覧ブラウザのみでページ作成、編集が可能となっている。
【００１０】
このようなウェブサイトはインターネットが閲覧可能な携帯電話からもアクセスできるという手軽さがあり、ブログ開設者が他のブログ開設者やブログ閲覧者との情報交換やコミュニケーションに利用でき、インターネット上では、情報ニュースサイトと共に新たな情報発信源として注目されている。
【００１１】
【特許文献１】特開２００２−５５９０１号公報（図１）
【特許文献２】特開２００２−２６８９９３号公報（図１）
【特許文献３】特開２００２−１４０２６６号公報（図１）
【発明の開示】
【発明が解決しようとする課題】
【００１２】
しかしながら、従来の広告メール配信システムにおいては、広告メールを受け取るユーザが本当に欲しい広告情報が掲載されていないことが多々あり、所望の情報を取得したいという希望を持つユーザに対しては不都合であるという問題点があり、必ずしも利便性のあるものではなかった。
さらに、ユーザからのリクエストだけでなく、多くの情報に基づいてさらにユーザに適した広告案内を受けたいという要求が存在する。
【００１３】
本願の発明者は上記の問題点を解消すべく種々検討を重ねた結果、端末装置を使用するユーザによってインターネット上で検索された単語、あるいは端末装置を使用するユーザの個人ウェブサイトに掲載されている単語を基にして当該ユーザに対して広告メールを配信するようになせば、上記の問題点を解消し得ることを想到し本発明を完成するに至ったものである。
【００１４】
すなわち、本発明は、上記の問題点を解消することを課題とし、携帯端末の利用者（ユーザ）に適した広告情報を効率良く提供することができる広告メール配信システムおよび広告メール配信サーバならびに端末装置および広告メール配信方法を提供することを目的とするものである。
【課題を解決するための手段】
【００１５】
前記課題を解決するために、本願の請求項１にかかる発明は、
端末装置と広告メール配信サーバとを備え、インターネット上で広告メールを配信する広告メール配信システムであって、
前記広告メール配信サーバは、広告情報データを蓄積する広告情報データベースと、前記端末装置からインターネット上で使用された単語をユーザ情報と関連付けて登録するユーザ情報登録データベースとを備え、前記ユーザ情報登録データベースに登録された単語と前記広告情報データベースに登録された広告情報データとを比較し、当該単語に対応する広告情報データを広告メールとして当該端末装置に配信し、
前記端末装置は、前記広告メール配信サーバから配信された広告メールを受信し、表示手段に表示することを特徴とする。
【００１６】
本願の請求項２にかかる発明は、請求項１にかかる広告メール配信システムにおいて、
前記単語に対応する広告情報データは、広告情報データの題名および／または内容に含まれる語彙データから検索される当該単語と同一の単語を含む広告情報データであることを特徴とする。
【００１７】
本願の請求項３にかかる発明は、請求項１にかかる広告メール配信システムにおいて、
前記単語に対応する広告情報データは、広告情報データの題名および／または内容に含まれる語彙データから検索される当該単語と同一概念の単語を含む広告情報データであることを特徴とする。
【００１８】
また、本願の請求項４にかかる発明は、
広告メール配信サーバから配信された広告メールを表示する端末装置と広告メール配信サーバとを備えた広告メール配信システムを構成する広告メール配信サーバであって、
前記広告メール配信サーバは、広告情報データを蓄積する広告情報データベースと、前記端末装置からインターネット上で使用された単語をユーザ情報と関連付けて登録するユーザ情報登録データベースとを備え、前記ユーザ情報登録データベースに登録された単語と前記広告情報データベースに登録された広告情報データとを比較し、当該単語に対応する広告情報データを広告メールとして当該端末装置に配信することを特徴とする。
【００１９】
本願の請求項５にかかる発明は、請求項４にかかる広告メール配信サーバにおいて、
前記単語に対応する広告情報データは、広告情報データの題名および／または内容に含まれる語彙データから検索される当該単語と同一の単語を含む広告情報データであることを特徴とする。
【００２０】
本願の請求項６にかかる発明は、請求項４にかかる広告メール配信サーバにおいて、
前記単語に対応する広告情報データは、広告情報データの題名および／または内容に含まれる語彙データから検索される当該単語と同一概念の単語を含む広告情報データであることを特徴とする。
【００２１】
また、本願の請求項７にかかる発明は、
端末装置と広告メール配信サーバとを備え、
前記広告メール配信サーバは、広告情報データを蓄積する広告情報データベースと、前記端末装置からインターネット上で使用された単語をユーザ情報と関連付けて登録するユーザ情報登録データベースとを備え、前記ユーザ情報登録データベースに登録された単語と前記広告情報データベースに登録された広告情報データとを比較し、当該単語に対応する広告情報データを広告メールとして当該端末装置に配信する広告メール配信システムを構成する端末装置であって、
前記端末装置は、前記広告メール配信サーバから配信された広告メールを受信し、表示手段に表示することを特徴とする。
【００２２】
また、本願の請求項８にかかる発明は、
端末装置と広告メール配信サーバとを備え、インターネット上で広告メールを配信する広告メール配信システムにおける広告メール配信方法であって、
前記広告メール配信サーバは、広告情報データを蓄積する広告情報データベースを備え、前記端末装置からインターネット上で使用された単語を検索するステップと、検索された単語をユーザ情報と関連付けてユーザ情報登録データベースに登録するステップと、前記ユーザ情報登録データベースに登録された単語と前記広告情報データベースに登録された広告情報データとを比較するステップと、当該単語に対応する広告情報データを広告メールとして当該端末装置に配信するステップとを有し、
前記端末装置は、前記広告メール配信サーバから配信された広告メールを受信し、表示手段に表示するステップを有することを特徴とする。
【００２３】
さらに、本願の請求項９にかかる発明は、
端末装置と広告メール配信サーバとを備え、インターネット上で広告メールを配信する広告メール配信システムであって、
前記広告メール配信サーバは、広告情報データを蓄積する広告情報データベースと、前記端末装置の利用者の個人ウェブサイトに使用されている単語をユーザ情報と関連付けて登録するユーザ情報登録データベースとを備え、前記ユーザ情報登録データベースに登録された単語と前記広告情報データベースに登録された広告情報データとを比較し、当該単語に対応する広告情報データを広告メールとして当該端末装置に配信し、
前記端末装置は、前記広告メール配信サーバから配信された広告メールを受信し、表示手段に表示することを特徴とする。
【００２４】
本願の請求項１０にかかる発明は、請求項９にかかる広告メール配信システムにおいて、
前記単語に対応する広告情報データは、広告情報データの題名および／または内容に含まれる語彙データから検索される当該単語と同一の単語を含む広告情報データであることを特徴とする。
【００２５】
本願の請求項１１にかかる発明は、請求項９にかかる広告メール配信システムにおいて、
前記単語に対応する広告情報データは、広告情報データの題名および／または内容に含まれる語彙データから検索される当該単語と同一概念の単語を含む広告情報データであることを特徴とする。
【００２６】
また、本願の請求項１２にかかる発明は、
広告メール配信サーバから配信された広告メールを表示する端末装置と広告メール配信サーバとを備えた広告メール配信システムを構成する広告メール配信サーバであって、
前記広告メール配信サーバは、広告情報データを蓄積する広告情報データベースと、前記端末装置の利用者の個人ウェブサイトに使用されている単語をユーザ情報と関連付けて登録するユーザ情報登録データベースとを備え、前記ユーザ情報登録データベースに登録された単語と前記広告情報データベースに登録された広告情報データとを比較し、当該単語に対応する広告情報データを広告メールとして当該端末装置に配信することを特徴とする。
【００２７】
本願の請求項１３にかかる発明は、請求項１２にかかる広告メール配信サーバにおいて、
前記単語に対応する広告情報データは、広告情報データの題名および／または内容に含まれる語彙データから検索される当該単語と同一の単語を含む広告情報データであることを特徴とする。
【００２８】
本願の請求項１４にかかる発明は、請求項１２にかかる広告メール配信サーバにおいて、
前記単語に対応する広告情報データは、広告情報データの題名および／または内容に含まれる語彙データから検索される当該単語と同一概念の単語を含む広告情報データであることを特徴とする。
【００２９】
また、本願の請求項１５にかかる発明は、
端末装置と広告メール配信サーバとを備え、
前記広告メール配信サーバは、広告情報データを蓄積する広告情報データベースと、前記端末装置の利用者の個人ウェブサイトに使用されている単語をユーザ情報と関連付けて登録するユーザ情報登録データベースとを備え、前記ユーザ情報登録データベースに登録された単語と前記広告情報データベースに登録された広告情報データとを比較し、当該単語に対応する広告情報データを広告メールとして当該端末装置に配信する広告メール配信システムを構成する端末装置であって、
前記端末装置は、前記広告メール配信サーバから配信された広告メールを受信し、表示手段に表示することを特徴とする。
【００３０】
また、本願の請求項１６にかかる発明は、
端末装置と広告メール配信サーバとを備え、インターネット上で広告メールを配信する広告メール配信システムにおける広告メール配信方法であって、
前記広告メール配信サーバは、広告情報データを蓄積する広告情報データベースを備え、前記端末装置の利用者の個人ウェブサイトに使用されている単語を検索するステップと、検索された単語をユーザ情報と関連付けてユーザ情報登録データベースに登録するステップと、前記ユーザ情報登録データベースに登録された単語と前記広告情報データベースに登録された広告情報データとを比較するステップと、当該単語に対応する広告情報データを広告メールとして当該端末装置に配信するステップとを有し、
前記端末装置は、前記広告メール配信サーバから配信された広告メールを受信し、表示手段に表示するステップを有することを特徴とする。
【発明の効果】
【００３１】
請求項１にかかる発明においては、広告メール配信サーバは、広告情報データを蓄積する広告情報データベースと、前記端末装置からインターネット上で使用された単語をユーザ情報と関連付けて登録するユーザ情報登録データベースとを備え、前記ユーザ情報登録データベースに登録された単語と前記広告情報データベースに登録された広告情報データとを比較し、当該単語に対応する広告情報データを広告メールとして当該端末装置に配信し、端末装置は、前記広告メール配信サーバから配信された広告メールを受信し、表示手段に表示する。
【００３２】
従って、端末装置を使用するユーザによってインターネット上で検索された単語に対応する広告情報データを広告メールとして当該端末装置に配信することができ、ユーザが所望する条件を満たす広告情報を提供することができるようになる。
【００３３】
請求項２にかかる発明においては、請求項１にかかる広告メール配信システムにおいて、前記単語に対応する広告情報データは、広告情報データの題名および／または内容に含まれる語彙データから検索される当該単語と同一の単語を含む広告情報データである。
【００３４】
従って、端末装置を使用するユーザによってインターネット上で検索された単語と同一の単語を含む広告情報データを広告メールとして当該端末装置に配信することができ、ユーザが所望する条件を満たす広告情報を提供することができるようになる。
【００３５】
請求項３にかかる発明においては、請求項１にかかる広告メール配信システムにおいて、前記単語に対応する広告情報データは、広告情報データの題名および／または内容に含まれる語彙データから検索される当該単語と同一概念の単語を含む広告情報データである。
【００３６】
従って、端末装置を使用するユーザによってインターネット上で検索された単語と同一概念の単語を含む広告情報データを広告メールとして当該端末装置に配信することができ、ユーザが所望する条件を満たす広告情報を提供することができるようになる。
【００３７】
また、請求項４〜請求項６にかかる発明においては、それぞれ請求項１〜請求項３にかかる広告メール配信システムを構成する広告メール配信サーバを提供することができ、請求項７、請求項８にかかる発明においては、それぞれ請求項１にかかる広告メール配信システムを構成する端末装置、広告メール配信システムにおける広告メール配信方法を提供することができるようになる。
【００３８】
また、請求項９にかかる発明においては、広告メール配信サーバは、広告情報データを蓄積する広告情報データベースと、前記端末装置の利用者の個人ウェブサイトに使用されている単語をユーザ情報と関連付けて登録するユーザ情報登録データベースとを備え、前記ユーザ情報登録データベースに登録された単語と前記広告情報データベースに登録された広告情報データとを比較し、当該単語に対応する広告情報データを広告メールとして当該端末装置に配信し、端末装置は、前記広告メール配信サーバから配信された広告メールを受信し、表示手段に表示する。
【００３９】
従って、端末装置の利用者の個人ウェブサイトに使用されている単語に対応する広告情報データを広告メールとして当該端末装置に配信することができ、ユーザが所望する条件を満たす広告情報を提供することができるようになる。
【００４０】
請求項１０にかかる発明においては、請求項９にかかる広告メール配信システムにおいて、前記単語に対応する広告情報データは、広告情報データの題名および／または内容に含まれる語彙データから検索される当該単語と同一の単語を含む広告情報データである。
【００４１】
従って、端末装置の利用者の個人ウェブサイトに使用されている単語と同一の単語を含む広告情報データを広告メールとして当該端末装置に配信することができ、ユーザが所望する条件を満たす広告情報を提供することができるようになる。
【００４２】
請求項１１にかかる発明においては、請求項９にかかる広告メール配信システムにおいて、前記単語に対応する広告情報データは、広告情報データの題名および／または内容に含まれる語彙データから検索される当該単語と同一概念の単語を含む広告情報データである。
【００４３】
従って、端末装置の利用者の個人ウェブサイトに使用されている単語と同一概念の単語を含む広告情報データを広告メールとして当該端末装置に配信することができ、ユーザが所望する条件を満たす広告情報を提供することができるようになる。
【００４４】
また、請求項１２〜請求項１４にかかる発明においては、それぞれ請求項９〜請求項１１にかかる広告メール配信システムを構成する広告メール配信サーバを提供することができ、請求項１５、請求項１６にかかる発明においては、それぞれ請求項９にかかる広告メール配信システムを構成する端末装置、広告メール配信システムにおける広告メール配信方法を提供することができるようになる。
【発明を実施するための最良の形態】
【００４５】
以下、本発明の具体例を実施例及び図面を用いて詳細に説明する。但し、以下に示す実施例は、本発明の技術思想を具体化するための広告メール配信システムを例示するものであって、本発明をこの広告メール配信システムに特定することを意図するものではなく、特許請求の範囲に含まれるその他の実施形態の広告メール配信システムにも等しく適用し得るものである。
【実施例１】
【００４６】
図１は、本発明の実施例１にかかる広告メール配信システムの構成を示すシステム構成図である。図２は実施例１における端末装置２０および広告メール配信サーバ３０の構成を示すブロック図である。本発明の実施例１にかかる広告メール配信システム１０は、インターネット１２を介して接続される端末装置２０と各種広告情報を提供する広告メール配信サーバ３０とから構成されている。端末装置２０はユーザ端末であり、例えば、携帯電話、ＰＤＡなどの移動端末を用いることができる。
【００４７】
広告メール配信サーバ３０は、図２に示すように、広告情報データを蓄積する広告情報データベース３０１と本発明において構築される端末装置２０を使用するユーザによってインターネット上で検索に使用された単語をユーザ情報と関連付けて登録するユーザ情報登録データベース３０２を備えている。
【００４８】
本発明において、広告メール配信サーバ３０は、端末装置２０から検索エンジンにユーザが入力した単語（キーワード）、すなわち、端末装置２０からインターネットを通して検索に使用された単語をサーチし、この単語をユーザ情報と関連付けてユーザ情報登録データベース３０２に登録する。
【００４９】
例えば、本発明においてユーザは広告メール配信サーバ３０に利用者登録をしているものとする。利用者登録情報はユーザ情報登録データベース３０２に格納される。広告メール配信サーバ３０は、利用者が端末装置２０内のブラウザを使用してインターネット上の各種サーバ等と行う際の通信データから利用者が使用した単語をサーチし、ユーザ情報登録データベース３０２に登録することができる。単語の抽出にあたっては、広告情報データベース３０１に蓄積されている広告情報の題名や内容に使用されている単語を辞書とし、この辞書の単語からユーザが使用した単語を抽出してユーザ情報登録データベース３０２に蓄積する。
【００５０】
広告メール配信サーバ３０は、ユーザ情報登録データベース３０２に登録された単語と広告情報データベース３０１に登録された広告情報データとを比較し、当該単語に対応する広告情報データを広告メールとして端末装置２０に配信する。例えば、「渋谷」と「ラーメン」という条件で単語を検索した場合、「渋谷」という単語が含まれる広告情報データを広告情報データベース３０１から検索する。また、「ラーメン」という単語が含まれる広告情報データや、「渋谷」および「ラーメン」いう単語が含まれる広告情報データを広告情報データベース３０１から検索する。
【００５１】
そして、例えば、検索条件の単語を含む数が多い上位３位までの広告情報データを広告メールとしてユーザに配信する。さらに単語検索において、概念検索を適用すれば、例えば、「渋谷」と「ラーメン」という条件で単語を検索した場合、「渋谷」という単語の部分で渋谷の街に関係する内容の広告情報データを広告情報データベース３０１から検索する。また、「ラーメン」という単語の部分でラーメンに関係する内容、例えば、ラーメン屋の広告情報データやカップラーメンの広告情報データを広告情報データベース３０１から検索する。そして、例えば、検索条件の単語と関連性が高い上位３位までの広告情報データを広告メールとしてユーザに配信する。
【００５２】
このように、ある単語が持つ概念（類似性）を他の同様の概念（類似性）を持つ単語にまで拡大して推測して検索を行う検索手法を概念検索という。概念検索の技術としては、例えば、特開２００４−７０６３６号公報、特開２００４−２２７３６２号公報に開示されており、これらに開示された技術を適用することができる。例えば、沖縄の方言である「でいご」という単語と「沖縄」という単語が同じ概念の単語として扱われ、「ウージの森」という単語が沖縄の「サトウキビ畑」という単語と同じ概念として扱われる。このように概念検索の単語辞書を利用すれば、より広範囲の一致語を検索することができるようになる。
【００５３】
このようにして広告メール配信サーバ３０は、広告主から提供される広告情報データを広告情報データベース３０１に蓄積しておき、端末装置２０からインターネット上で検索などおいて使用された単語を抽出し、ユーザ情報と関連付けてユーザ情報登録データベース３０２に登録しておく。ユーザへの広告メール配信に際して、広告メール配信サーバ３０は、ユーザによってインターネット上で使用された単語に対応する広告情報データを広告メールとして当該端末装置２０に配信する。ここで、配信される広告メールは、端末装置２０から検索された単語をもとに、検索された単語の頻出度が高いものから順に所定数選択される。
【００５４】
広告情報データベース３０１には、広告情報の他に、広告主のリンク情報、すなわちインターネット１２上にある広告主のＷＷＷサイト（図示せず）の位置情報（ＵＲＬ）が組にされて蓄積してあるから、端末装置２０に配信する広告メールにリンク情報を埋め込んだ形式で配信する。
【００５５】
このような広告メールを配信すれば、端末装置２０のユーザは、広告情報データを表示手段に表示し、その中から所望のリンク情報を指定すれば、リンク情報に従って広告主のＷＷＷサイトにリンクして所望の広告について詳細な広告情報を閲覧あるいはダウンロードすることができる。詳細な広告情報に店舗の案内図があれば、ユーザは案内図を参照して該当する店舗の位置を即座に知ることができる。
【００５６】
次に広告メール配信サーバ３０および端末装置２０の構成を説明する。図２に示すように、広告メール配信サーバ３０は、広告メールとして広告情報データを端末装置２０に送信するメール配信手段３１と、広告情報データを蓄積する広告情報データベース３０１とを有している。
【００５７】
更に、広告メール配信サーバ３０は、端末装置２０を使用するユーザによってインターネット上で検索された単語を検索する単語検索手段３２と、端末装置２０を使用するユーザによってインターネット上で検索された単語をユーザ情報と関連付けて登録するユーザ情報登録データベース３０２と、ユーザ情報登録データベース３０２に登録された単語と広告情報データベース３０１に登録された広告情報データとを比較する単語比較手段３３を備えている。
【００５８】
メール配信手段３１は端末装置２０からインターネット上で使用された単語をもとに、ユーザ情報登録データベース３０２に登録されているユーザ情報のデータの中から単語比較手段３３により比較される頻度が高かった単語を多く含む広告情報データから順に所定数選択するように構成することができる。
【００５９】
一方、端末装置２０は、キー、ボタン等からなる入力手段２１、液晶表示モジュール等からなる表示手段２２、インターネットを介してデータを通信するモデム等からなる通信手段２３、広告メール配信サーバ３０やその他のサーバから受信したデータを保存する保存手段２４を有している。
【００６０】
ユーザは入力手段２１により検索キーワードとして所望の単語を入力し通信手段２３を介してインターネット上に存在する種々の検索エンジン（図示せず）に検索要求を行う。検索エンジンは入力された単語に関連する情報を検索し、検索した結果を端末装置２０に返信する。
【００６１】
広告メール配信サーバ３０は、このようにしてインターネット上で端末装置２０から検索された単語をサーチし、この単語をユーザ情報登録データベース３０２に登録する。そしてユーザ情報登録データベース３０２に登録された単語をもとに、ユーザ情報登録データベース３０２に登録されている広告情報データの中から単語比較手段３３により単語を比較し、一致する頻度が高かった単語を含む広告情報データを広告メールとして端末装置２０に配信する。
【００６２】
端末装置２０は、検索エンジンから検索結果を受信する、あるいは広告メール配信サーバ３０から広告メールを受信すると、これらを保存手段２４に一時記憶し、表示手段２２に表示する。
【００６３】
表示された広告メールを見て、ユーザが詳細情報を入手する場合、表示された広告情報から所望のリンク情報を選んでクリックする。先に説明したように広告メールには広告主のリンク情報（インターネット１２上にある広告主ＷＷＷサイトの位置情報（ＵＲＬ））が埋め込まれた形式で配信されており、選択された広告主ＷＷＷサイトにリンクして詳細な広告情報を閲覧あるいはダウンロードすることができる。
【００６４】
図３は、以上説明した実施例１の広告メール配信サービスにおける広告メール配信サーバ３０の動作手順を示すフローチャートである。なお、図３に示す動作手順は広告メール配信サーバ３０に記憶されている制御プログラムを実行することで実現される。
【００６５】
広告メール配信サーバ３０は、ステップＳ３１の処理において、単語検索手段３２により端末装置２０を使用するユーザによってインターネット上で検索された単語をサーチし、ステップＳ３２の処理において、端末装置２０を使用するユーザによってインターネット上で検索された単語をユーザ情報と関連付けてユーザ情報登録データベース３０２に登録する。
【００６６】
次に広告メール配信サーバ３０は、ステップＳ３３の処理において、単語比較手段３３によりユーザ情報登録データベース３０２に登録された単語と広告情報データベース３０１に登録された広告情報データとを比較し、両者の単語が一致するかどうかを判定する。
【００６７】
ステップＳ３３の判定処理において、両者の単語が一致すれば、ステップＳ３４の処理に進み、当該単語に対応する広告情報データを広告メールとして端末装置２０に配信する処理を行って処理を終了する。一方、ステップＳ３３の判定処理において、両者の単語が一致しなければ、ステップＳ３２の処理に進み、端末装置２０を使用するユーザによってインターネット上で検索された単語をユーザ情報と関連付けてユーザ情報登録データベース３０２に登録する処理を繰り返す。
【００６８】
以上の説明は、単語比較手段３３によりユーザ情報登録データベース３０２に登録された単語と広告情報データベース３０１に登録された広告情報データとを比較する際に、両データベースに同一の単語が含まれるかどうかによって同一性を判定したものであるが、前述したように、両データベースに同一概念の単語が含まれるかどうかによって同一性を判定することもできる。
【実施例２】
【００６９】
本発明の実施例２にかかる広告メール配信システムを図４に示す。本発明の実施例２にかかる広告メール配信システムは、実施例１にかかる広告メール配信システムと同様に、インターネット１２を介して接続される端末装置２０と各種広告情報を提供する広告メール配信サーバ３０とから構成されている。端末装置２０はユーザ端末であり、例えば、携帯電話、ＰＤＡなどの移動端末を用いることができる。
【００７０】
広告メール配信サーバ３０は、広告情報データを蓄積する広告情報データベース３０１と本発明において構築される端末装置２０を使用するユーザの個人ウェブサイトに掲載されている単語をユーザ情報と関連付けて登録するユーザ情報登録データベース３０２を備えている。
【００７１】
本実施例２においては、広告メール配信サーバ３０は、端末装置２０から入力された個人のブログ等において日々更新される日記内の単語をサーチし、サーチされた単語をユーザ情報と関連付けてユーザ情報登録データベース３０２に登録する。この実施例においても、ユーザは広告メール配信サーバ３０に利用者登録をしているものとする。利用者登録情報はユーザ情報登録データベース３０２に格納される。広告メール配信サーバ３０は利用者登録された利用者のブログを周期的に参照することで利用者が使用した単語をサーチし、ユーザ情報登録データベース３０２に登録することができる。
【００７２】
広告メール配信サーバ３０は、ユーザ情報登録データベース３０２に登録された単語と広告情報データベース３０１に登録された広告情報データとを比較し、当該単語に対応する広告情報データを広告メールとして端末装置２０に配信する。例えば、ブログにユーザが自動車に関する日記を書いている場合、「自動車」という単語がユーザ情報登録データベース３０２に登録される。
【００７３】
そして、ユーザ情報登録データベース３０２に登録された「自動車」という単語が含まれる広告情報データを広告情報データベース３０１から検索する。例えば、当該「自動車」という検索条件の単語を含む数が多い上位３位までの広告情報データを広告メールとしてユーザに配信する。
【００７４】
さらに概念検索を適用すれば、ブログ内の「自動車」という単語の部分で自動車に関係する内容、例えば、新車情報の広告情報データを広告情報データベース３０１から検索する。そして、検索条件の単語と関連性が高い上位３位までの広告情報データを広告メールとしてユーザに配信する。
【００７５】
このようにして広告メール配信サーバ３０は、広告主から提供される広告情報データを広告情報データベース３０１に蓄積しておき、端末装置２０を使用するユーザの個人ウェブサイトに掲載されている単語をサーチし、ユーザ情報と関連付けてユーザ情報登録データベース３０２に登録しておく。
【００７６】
ユーザへの広告メール配信に際して、広告メール配信サーバ３０は、ユーザの個人ウェブサイトに掲載されている単語に対応する広告情報データを広告メールとして当該端末装置に配信する。ここで、配信する広告メールは、端末装置２０からユーザの個人ウェブサイトに掲載された単語をもとに、検索された単語の頻出度が高いものから順に所定数選択する。
【００７７】
広告情報データベース３０１には、広告情報の他に、広告主のリンク情報、すなわちインターネット１２上にある広告主のＷＷＷサイト（図示せず）の位置情報（ＵＲＬ）が組にされて蓄積してあるから、端末装置２０に配信する広告メールにリンク情報を埋め込んだ形式で配信する。
【００７８】
このような広告メールを配信すれば、端末装置２０のユーザは、広告情報データを表示手段に表示し、その中から所望のリンク情報を指定すれば、リンク情報に従って広告主のＷＷＷサイトにリンクして所望の広告について詳細な広告情報を閲覧あるいはダウンロードすることができる。
【００７９】
図4は、実施例２のシステムにおける端末装置、広告メール配信サーバの構成を示すブロック図である。広告メール配信サーバ３０は、広告メールとして広告情報データを端末装置２０に送信するメール配信手段３１と、広告情報データを蓄積する広告情報データベース３０１とを有している。
【００８０】
更に、広告メール配信サーバ３０は、端末装置２０を使用するユーザの個人ウェブサイトに掲載されている単語を検索するロボット型のウェブサイト情報取得手段３４と、端末装置２０を使用するユーザの個人ウェブサイトに掲載されている単語をユーザ情報と関連付けて登録するユーザ情報登録データベース３０２と、ユーザ情報登録データベース３０２に登録された単語と広告情報データベース３０１に登録された広告情報データとを比較する単語比較手段３３を備えている。
【００８１】
メール配信手段３１は端末装置２０から個人ウェブサイトに掲載された単語をもとに、ユーザ情報登録データベース３０２に登録されている広告情報データの中から単語比較手段３３により比較され、一致する頻度が高かった単語を含む広告情報データから順に所定数選択するように構成することができる。
【００８２】
一方、端末装置２０は、キー、ボタン等からなる入力手段２１、液晶表示モジュール等からなる表示手段２２、インターネットを介してデータを通信するモデム等からなる通信手段２３、広告メール配信サーバ３０やその他のサーバから受信したデータを保存する保存手段２４を有している。
【００８３】
ユーザは入力手段２１によりユーザの個人ウェブサイトに対して日記等の書き込みを行う。ウェブサイト情報取得手段３４は書き込まれた日記に使用されている単語をサーチし、ユーザ情報登録データベース３０２に登録する。広告メール配信サーバ３０は、ユーザ情報登録データベース３０２に登録された単語をもとに、広告情報データベース３０１に登録されている広告情報データの中から単語比較手段３３により単語を比較し、一致する頻度が高かった単語を含む広告情報データを広告メールとして端末装置２０に配信する。
【００８４】
端末装置２０は、広告メール配信サーバ３０から広告メールを受信すると、これらを保存手段２４に一時記憶し、表示手段２２に表示する。表示された広告メールを見て、ユーザが詳細情報を入手する場合、表示された広告情報から所望のリンク情報を選んでクリックする。先に説明したように広告メールには広告主のリンク情報（インターネット１２上にある広告主ＷＷＷサイトの位置情報（ＵＲＬ））が埋め込まれた形式で配信されており、選択された広告主ＷＷＷサイトにリンクして詳細な広告情報を閲覧あるいはダウンロードすることができる。
【００８５】
図５は、以上説明した実施例２の広告メール配信サービスにおける広告メール配信サーバ３０の動作手順を示すフローチャートである。なお、図５に示す動作手順は広告メール配信サーバ３０に記憶されている制御プログラムを実行することで実現される。
【００８６】
広告メール配信サーバ３０は、ステップＳ５１の処理において、ロボット型のウェブサイト情報取得手段３４により端末装置２０を使用するユーザの個人ウェブサイトに掲載されている単語を検索し、ステップＳ５２の処理において、端末装置２０を使用するユーザの個人ウェブサイトに掲載されている単語をユーザ情報と関連付けてユーザ情報登録データベース３０２に登録する。
【００８７】
次に広告メール配信サーバ３０は、ステップＳ５３の処理において、単語比較手段３３によりユーザ情報登録データベース３０２に登録された単語と広告情報データベース３０１に登録された広告情報データとを比較し、両者の単語が一致するかどうかを判定する。
【００８８】
ステップＳ５３の判定処理において、両者の単語が一致すれば、ステップＳ５４の処理に進み、当該単語に対応する広告情報データを広告メールとして端末装置２０に配信する処理を行って処理を終了する。一方、ステップＳ５３の判定処理において、両者の単語が一致しなければ、ステップＳ５２の処理に進み、端末装置２０を使用するユーザの個人ウェブサイトに掲載されている単語をユーザ情報と関連付けてユーザ情報登録データベース３０２に登録する処理を繰り返す。
【００８９】
以上の説明は、単語比較手段３３によりユーザ情報登録データベース３０３に登録された単語と広告情報データベース３０１に登録された広告情報データとを比較する際に、両データベースに同一の単語が含まれるかどうかによって同一性を判定したものであるが、両データベースに同一概念の単語が含まれるかどうかによって同一性を判定することもできる。
【００９０】
上記の実施例１、実施例２においてはシステムを広告メール配信サーバ３０単独で構成した例を説明したが、本発明のシステムは実施例１または実施例２における広告メール配信サーバ３０の機能を複数のサーバに分散した構成のシステムとすることができる。図６は、広告メール配信サーバ３０がコンテンツウェブサーバ４０とＤＢサーバ５０と連携して動作するようにしたシステム構成図である。
【００９１】
実施例１に対応するシステムは、図７に示すように単語比較手段３３、単語検索手段３２を備えたコンテンツウェブサーバと、ユーザ登録データベース３０２を備えたＤＢサーバ（データベースサーバ）５０から構成されている。コンテンツウェブサーバ４０は情報配信機能、検索機能（検索エンジン）、ブログ機能などを備えており、端末装置２０からコンテンツウェブサーバ内の検索エンジンにユーザが入力した単語（キーワード）をサーチし、ＤＢサーバ５０のユーザ情報登録データベースに蓄積する構成としたものである。
【００９２】
すなわち、図７のシステムにおいては、ユーザは広告メール配信サーバ３０とデータを共有しているコンテンツウェブサーバ４０（この場合、検索機能を有したポータルサイト）に利用者登録をしているものとする。利用者登録情報はDBサーバに格納される。広告メール配信サーバ３０は、利用者が端末装置２０内のブラウザを使用してインターネット上の各種サーバ等と行う際の通信データから利用者が使用した単語をサーチし、ユーザ情報登録データベース３０２に登録する。広告メール配信サーバの機能は実施例１と同様である。
【００９３】
実施例２に対応するシステムは、図８に示すように単語比較手段３３、単語検索手段３２を備えたコンテンツウェブサーバ４０と、ユーザ登録データベース３０２、ウェブサイト情報取得手段３４を備えたＤＢサーバ（データベースサーバ）５０から構成されている。このシステムにおいては、ユーザは広告メール配信サーバ３０とデータを共有しているコンテンツウェブサーバ４０（この場合、ブログサイト、あるいは、ブログ機能を含んだポータルサイト）に利用者登録をしているものとする。利用者登録情報はＤＢサーバ５０に格納される。ウェブサイト情報取得手段３４は、端末装置２０から入力され個人のブログ等（コンテンツウェブサーバ４０内）に書き込まれた単語をサーチし、サーチされた単語をユーザ情報と関連付けてユーザ情報登録データベース３０２に登録する。広告メール配信サーバの機能は実施例２と同様である。
【００９４】
従って、本明細書において、広告メール配信サーバという用語は、単一の物理的構成を有するサーバのみでなく、機能の一部が物理的に分離されたサーバに備えられ、複数のサーバにより本発明の機能、動作が達成される構成を含み、このような複数のサーバ群を全体として広告メール配信サーバということとする。
【００９５】
以上、詳細に説明したように本発明によれば、端末装置を使用するユーザによってインターネット上で検索された単語あるいは端末装置を使用するユーザの個人ウェブサイトに掲載されている単語をもとに広告情報データベースに登録された広告情報データを検索するので、ユーザに無関係な広告メールを配信するということは避けられる。
【００９６】
また、ユーザからの単なるリクエストではなく、広告情報データの内容から直接あるいは概念的に一致する単語をユーザが予め入力するので、膨大な広告情報データからユーザに適した情報を提供することが可能である。
【００９７】
広告メール配信システム１０をこのように構成することによって、端末装置２０のユーザは、所望する条件を満たす広告情報を閲覧またはダウンロードすることができるようになる。
【産業上の利用可能性】
【００９８】
本発明によれば、ユーザの購買意欲を高め、かつ不要な情報が掲載されていない広告効果の高い広告メールを配信することができ、ユーザの多様な要望に適したサービスを提供するシステムとして有用である。
【図面の簡単な説明】
【００９９】
【図１】本発明の実施例１にかかる広告メール配信システムの構成を示すシステム構成図である。
【図２】本発明の実施例１のシステムにおける端末装置、広告メール配信サーバの構成を示すブロック図である。
【図３】本発明の実施例１の広告メール配信サービスにおける広告メール配信サーバ３０の動作手順を示すフローチャートである。
【図４】本発明の実施例２のシステムにおける端末装置、広告メール配信サーバの構成を示すブロック図である。
【図５】本発明の実施例２の広告メール配信サービスにおける広告メール配信サーバ３０の動作手順を示すフローチャートである。
【図６】本発明の実施例１にかかる広告メール配信システムの他の構成を示すシステム構成図である。
【図７】本発明の実施例１のシステムにおける端末装置、広告メール配信サーバの他の構成を示すブロック図である。
【図８】本発明の実施例２のシステムにおける端末装置、広告メール配信サーバの他の構成を示すブロック図である。
【符号の説明】
【０１００】
１０・・・・広告メール配信システム
１２・・・・インターネット
２０・・・・端末装置
３０・・・・広告メール配信サーバ
３１・・・・メール配信手段
３２・・・・単語検索手段
３３・・・・単語比較手段
３４・・・・ウェブサイト情報取得手段
３０１・・・広告情報データベース
３０２・・・ユーザ情報登録データベース
２１・・・・入力手段
２２・・・・表示手段
２３・・・・通信手段
２４・・・・保存手段
【図１】
2007233484.tif 000003
【図２】
2007233484.tif 000004
【図３】
2007233484.tif 000005
【図４】
2007233484.tif 000006
【図５】
2007233484.tif 000007
【図６】
2007233484.tif 000008
【図７】
2007233484.tif 000009
【図８】
2007233484.tif 000010